(57)【特許請求の範囲】
【請求項１】
透水性を有する表面シートと、防水シートである裏面シートの間に、吸収材を挟んだペット用吸水シートを製造するための製造設備であって、
該製造設備が、
表面側吸水紙と、該表面側吸水紙よりも幅が広い裏面側吸水紙の間に、液体を吸収する吸収体を挟んで、吸収材を形成する吸収材製造装置と、
表面シート原反ロールからくり出された一続きの表面シートと裏面シート原反ロールからくり出された一続きの裏面シートを、その間に前記吸収材を挟んだ状態で接着し、前記裏面シートと前記表面シートの間に挟まれた隣接する吸収材間において、前記裏面シートと前記表面シートを切断し、ペット用吸水シートを製造するシート完成装置とからなり、
前記吸収材製造装置が、
裏面側吸水紙原反ロールからくり出された一続きの裏面側吸水紙上に、前記吸収体を載せ、その上に表面側吸水紙原反ロールからくり出された一続きの表面側吸水紙を重ねて、一続きの積層シートを形成する積層部と、
前記積層シートの裏面側吸水紙の幅方向両端部を折り曲げて、前記表面側吸水紙上に重ねて、前記積層シートにふち漏れ防止部を形成するふち漏れ防止部形成手段と、
前記ふち漏れ防止部が形成された一続きの積層シートを、一定の長さに切断する切断部とからなる
ことを特徴とするペット用吸水シートの製造設備。
【請求項２】
前記ふち漏れ防止部形成手段が、前記積層シートを通過させるためのシート通過溝を備えた折り板であり、
該折り板のシート通過溝を前記積層シートが通過する間に、前記積層シートの幅方向両端部が上方に屈曲され、該積層シートの表面側吸水紙上に折り重ねられる
ことを特徴とする請求項１記載のペット用吸水シートの製造設備。
【請求項３】
前記積層部と前記折り板との間に、前記積層シートを、その表面から下方に押し付ける押圧ローラが設けられており、
該押圧ローラの幅が、裏面吸水紙の幅よりも狭くなっており、
前記押圧ローラを、前記積層シートに押し付けると、前記積層シートがその送り方向に対して直交する方向に沿って上方に屈曲され、
前記積層シートの裏面側吸水紙の幅方向両端部が上方に屈曲される
ことを特徴とする請求項２記載のペット用吸水シートの製造設備。
【請求項４】
透水性を有する表面シートと、防水シートである裏面シートの間に、吸収材を挟んだペット用吸水シートを製造する製造方法であって、
裏面側吸水紙原反ロールからくり出された一続きの裏面側吸水紙上に、液体を吸収する吸収体を載せ、
前記吸収体が載せられた前記裏面側吸水紙の上に、表面側吸水紙原反ロールからくり出された前記裏面側吸水紙より幅の狭い一続きの表面側吸水紙を重ねて、一続きの積層シートを形成し、
該積層シートの裏面側吸水紙の幅方向両端部を折り曲げてふち漏れ防止部を形成し、
該ふち漏れ防止部が形成された一続きの積層シートを、一定の長さに切断して吸収材を形成し、
表面シート原反ロールからくり出された一続きの表面シートと裏面シート原反ロールからくり出された一続きの裏面シートの間に、前記吸収材を挟んだ状態で接着し、
前記裏面シートと前記表面シートの間に挟まれた隣接する吸収材間において、前記裏面シートと前記表面シートを切断する
ことを特徴とするペット用吸水シートの製造方法。
【請求項５】
請求項４の製造方法により製造されるペット用吸水シートであって、
透水性を有する表面シートと、防水シートである裏面シートの間に、吸収材を挟んだペット用吸水シートとからなり、
前記吸収材が、
表面側吸水紙と、該表面側吸水紙よりも幅が広い裏面側吸水紙と、該裏面側吸水紙と前記表面側吸水紙の間に挟まれており、前記裏面側吸水紙と同じ幅であって液体を吸収する吸収体とからなり、
該吸収材の幅方向両端部には、
前記裏面側吸水紙の幅方向の両端部が折り曲げられて、前記表面側吸水紙の両端部の表面に重ねられており、かつ前記表面側吸水紙の両端部と前記裏面側吸水紙の両端部との間に、前記吸収体を挟んで構成されたふち漏れ防止部が形成されており、該ふち漏れ防止部は、前記吸水材の幅方向中央部よりも高さが高くなっている
ことを特徴とするペット用吸水シート。
【発明の詳細な説明】
【０００１】
【発明の属する技術分野】
本発明は、ペット用吸水シート、その製造設備およびその製造方法に関する。さらに詳しくは、犬や猫等、室内で飼育される動物のトイレには、尿の処理を容易にするために、吸水性を有するペット用シートが敷かれる。このシート上に動物が尿をすれば、尿がシートに吸収されゼリー状になるので、尿の処理が容易である。このようなペット用シートにおいて、その端部にふち漏れ防止部を備えたものがある。このふち漏れ防止部は、シートの中央部より高くなっており、たとえ尿がシートの表面を流れても、ふち漏れ防止部によって尿がシートの端から漏れることを防ぐことができる。本発明はかかるふち漏れ防止部を備えたペット用吸水シート、その製造設備およびその製造方法に関する。
【０００２】
【従来の技術】
図６は、従来のペット用シートの概略説明図である。同図(A) に示すように、従来のペット用吸水シート100 は、防水シートである裏面シート101 と透水シートである表面シート102 との間に、吸水性を有する吸収材105 を挟んだ構成となっている。このペット用吸水シート100 では、裏面シート101 の幅方向両端部を折り曲げて、その両端部を表面シート102 上に重ねることによって端漏れ防止部106 を形成している。このため、表面シート102 上を尿が流れても、端漏れ防止部106 によって端から尿が漏れることを防ぐことができる。
【０００３】
しかるに、動物が尿をペット用吸水シート100 の端でした場合、端漏れ防止部106 の上に尿がかかる場合がある。端漏れ防止部106 は、裏面シート101 によって形成されており、裏面シート101 は防水シートであるから、端漏れ防止部106 上にかかった尿は、端漏れ防止部106 上を流れて外にもれてしまうという問題がある。
【０００４】
上記の問題を解決する技術として、以下に示す従来例１のペット用吸水シート110 と従来例２のペット用吸水シート120 がある。
図６(B) に示すように、従来例１のペット用吸水シート110 は、裏面シート101 の幅方向両端部を折り曲げて端漏れ防止部106 を形成するかわりに、表面シート102 上に透水性のある当て布117 を貼り付けて端漏れ防止部116 を形成している。このため、端漏れ防止部116 によって端から尿が漏れることを防ぐことができ、しかも、端漏れ防止部116 上に尿をしても、尿が当て布117 と表面シート102 を透過するので、尿を吸収材105 に吸収させることができる。
【０００５】
また、図６(C) に示すように、従来例２のペット用吸水シート120 は、吸収材105 の上面において、吸収材105 の外周端縁に沿って吸水材127 を設けている。この吸水材127 は、例えば綿など吸水性と透水性を有する素材である。この吸水材127 によって端漏れ防止部126 が形成されている。このため、端漏れ防止部126 によって端から尿が漏れることを防ぐことができ、しかも、端漏れ防止部126 上に尿をしても、尿が表面シート102 を透過するので、尿を吸水材127 または吸収材105 に吸収させることができる。
【０００６】
【発明が解決しようとする課題】
しかるに、従来例１のペット用吸水シート110 であっても、従来例２のペット用吸水シート110 であっても、裏面シート101 、表面シート102 、吸収材105 以外に、当て布117 や吸水材127 等が必要であり、この当て布117 、吸水材127 を取り付ける工程が余分に必要となり、ペット用吸水シートの生産性が低くなってしまうという問題がある。
また、当て布117 や吸水材127 を取り付けるために特別な装置が必要となるので製造設備が大型かつ複雑になるという問題がある。
【０００７】
本発明はかかる事情に鑑み、ふち漏れ防止機能を備えており、しかも生産性が高く、製造設備の構成を単純化することができるペット用吸水シート、その製造設備およびその製造方法を提供することを目的とする。
【０００８】
【課題を解決するための手段】
請求項１のペット用吸水シートの製造設備は、透水性を有する表面シートと、防水シートである裏面シートの間に、吸収材を挟んだペット用吸水シートを製造するための製造設備であって、該製造設備が、表面側吸水紙と、該表面側吸水紙よりも幅が広い裏面側吸水紙の間に、液体を吸収する吸収体を挟んで、吸収材を形成する吸収材製造装置と、表面シート原反ロールからくり出された一続きの表面シートと裏面シート原反ロールからくり出された一続きの裏面シートを、その間に前記吸収材を挟んだ状態で接着し、前記裏面シートと前記表面シートの間に挟まれた隣接する吸収材間において、前記裏面シートと前記表面シートを切断し、ペット用吸水シートを製造するシート完成装置とからなり、前記吸収材製造装置が、裏面側吸水紙原反ロールからくり出された一続きの裏面側吸水紙上に、前記吸収体を載せ、その上に表面側吸水紙原反ロールからくり出された一続きの表面側吸水紙を重ねて、一続きの積層シートを形成する積層部と、前記積層シートの裏面側吸水紙の幅方向両端部を折り曲げて、前記表面側吸水紙上に重ねて、前記積層シートにふち漏れ防止部を形成するふち漏れ防止部形成手段と、前記ふち漏れ防止部が形成された一続きの積層シートを、一定の長さに切断する切断部とからなることを特徴とする。
請求項２のペット用吸水シートの製造設備は、請求項１記載の発明において、前記ふち漏れ防止部形成手段が、前記積層シートを通過させるためのシート通過溝を備えた折り板であり、該折り板のシート通過溝を前記積層シートが通過する間に、前記積層シートの幅方向両端部が上方に屈曲され、該積層シートの表面側吸水紙上に折り重ねられることを特徴とする。
請求項３のペット用吸水シートの製造設備は、請求項２記載の発明において、前記積層部と前記折り板との間に、前記積層シートを、その表面から下方に押し付ける押圧ローラが設けられており、該押圧ローラの幅が、裏面吸水紙の幅よりも狭くなっており、前記押圧ローラを、前記積層シートに押し付けると、前記積層シートがその送り方向に対して直交する方向に沿って上方に屈曲され、前記積層シートの裏面側吸水紙の幅方向両端部が上方に屈曲されることを特徴とする。
請求項４のペット用吸水シートの製造方法は、透水性を有する表面シートと、防水シートである裏面シートの間に、吸収材を挟んだペット用吸水シートを製造する製造方法であって、裏面側吸水紙原反ロールからくり出された一続きの裏面側吸水紙上に、液体を吸収する吸収体を載せ、前記吸収体が載せられた前記裏面側吸水紙の上に、表面側吸水紙原反ロールからくり出された前記裏面側吸水紙より幅の狭い一続きの表面側吸水紙を重ねて、一続きの積層シートを形成し、該積層シートの裏面側吸水紙の幅方向両端部を折り曲げてふち漏れ防止部を形成し、該ふち漏れ防止部が形成された一続きの積層シートを、一定の長さに切断して吸収材を形成し、表面シート原反ロールからくり出された一続きの表面シートと裏面シート原反ロールからくり出された一続きの裏面シートの間に、前記吸収材を挟んだ状態で接着し、前記裏面シートと前記表面シートの間に挟まれた隣接する吸収材間において、前記裏面シートと前記表面シートを切断することを特徴とする。
請求項５のペット用吸水シートは、請求項４の製造方法により製造されるペット用吸水シートであって、透水性を有する表面シートと、防水シートである裏面シートの間に、吸収材を挟んだペット用吸水シートとからなり、前記吸収材が、表面側吸水紙と、該表面側吸水紙よりも幅が広い裏面側吸水紙と、該裏面側吸水紙と前記表面側吸水紙の間に挟まれており、前記裏面側吸水紙と同じ幅であって液体を吸収する吸収体とからなり、該吸収材の幅方向両端部には、前記裏面側吸水紙の幅方向の両端部が折り曲げられて、前記表面側吸水紙の両端部の表面に重ねられており、かつ前記表面側吸水紙の両端部と前記裏面側吸水紙の両端部との間に、前記吸収体を挟んで構成されたふち漏れ防止部が形成されており、該ふち漏れ防止部は、前記吸水材の幅方向中央部よりも高さが高くなっていることを特徴とする。
【０００９】
請求項１の発明によれば、積層シートを連続的に送りながら一続きの裏面側吸水紙の幅方向両端部を折り曲げるだけで、ふち漏れ部を形成できるので、全工程でラインを間欠送りする工程が存在しない。したがって、ペット用吸水シートの生産効率を高くすることができる。
請求項２の発明によれば、折り板のシート通過溝に積層シートを通過させるだけで、前記積層シートの裏面吸水紙の幅方向両端部が折り畳むことができるので、装置の構造が簡単になる。しかも、積層シートを連続して流しながら、前記積層シートの裏面吸水紙の幅方向両端部が折り畳まれるので、生産効率を高くすることができる。
請求項３の発明によれば、押圧ローラによって積載シートを下方に押し付けて、積層シートを、その送り方向に対して直交する方向に沿って上方に屈曲させれば、積層シートの裏面吸水紙の幅方向両端部を上方に屈曲させることができるので、次工程の折り板によって積層シートの裏面吸水紙の幅方向両端部を折り畳む作業が、正確かつ簡単なる。
請求項４の発明によれば、積層シートを連続的に送りながら一続きの裏面側吸水紙の幅方向両端部を折り曲げるだけで、ふち漏れ部を形成できるので、全工程でラインを間欠送りする工程が存在しない。したがって、ペット用吸水シートの生産効率を高くすることができる。
請求項５の発明によれば、つぎの効果を奏する。
ａ）ふち漏れ防止部は、裏面側吸水紙と吸収体の分だけ、吸収材の幅方向中央部よりも高くなっている。このため、尿が表面シートや吸収材の上面を流れても、ふち漏れ防止部によって確実に尿をせき止めることができる。
ｂ）ふち漏れ防止部の上には、透水性を有する表面シートが載せられているだけなので、ふち漏れ防止部上に尿をしても、その尿は表面シートを透過し、ふち漏れ防止部によって吸収される。よって、ペット用シートの端から尿が漏れることを、確実に防ぐことができる。
ｃ）ふち漏れ防止部は吸収材の幅方向両端部において、表面側吸水紙の表面に裏面側吸水紙の幅方向の両端部を折り重ねただけなので、折り板等に積層シートを通過させるだけで、積層シートの裏面吸水紙の幅方向両端部が折り畳むことができるので、装置の構造が簡単になる。しかも、積層シートを連続して流しながら、積層シートの裏面吸水紙の幅方向両端部を折り畳むので生産効率を高くすることができる。
【００１０】
【発明の実施の形態】
つぎに、本発明の実施形態を図面に基づき説明する。
まず、本実施形態のペット用吸水シート１０を説明する。
図５は本実施形態のペット用吸水シート１０の概略説明図である。同図に示すように、本実施形態のペット用吸水シート１０は、透水性を有する表面シート１２と防水シートである裏面シート１１との間に、吸収材１５を挟んで形成されたものであり、吸収材１５にふち漏れ防止部１９を形成したことが特徴である。
【００１１】
裏面シート１１は、その素材が合成樹脂フィルム等の水分を透過しない防水性を有する素材である。
表面シート１２は、その素材が不織布等の透水性を有する素材である。
【００１２】
吸収材１５は、裏面側吸水紙１６と表面側吸水紙１７の間に吸収体１８を挟んで形成されたものである。
裏面側吸水紙１６および表面側吸水紙１７は吸収紙であり、吸収体１８は、例えば吸水性ポリマー入り粉砕パルプ等であり、水分を吸収してゼリー状に固めるものである。
【００１３】
前記裏面側吸水紙１６の幅は、前記表面側吸水紙１７の幅より広くなっており、裏面側吸水紙１６の幅方向両端部16b は、折り曲げられて、表面側吸水紙１７の表面に重ねられている。この裏面側吸水紙１６の幅方向両端部16b が、ふち漏れ防止部１９を形成している。
このふち漏れ防止部１９において、表面側吸水紙１７の表面と、表面側吸水紙１７の表面に重ねられた裏面側吸水紙１６の幅方向両端部16b との間には、吸収体18b が挟まれている。
【００１４】
上記のごとき構成であるので、本実施形態のペット用吸水シート１０は、ふち漏れ防止部１９が、裏面側吸水紙１６の厚さと吸収体18b の厚さの分だけ、吸収材１５の幅方向中央部よりも高くなっているので、尿が表面シート１２や吸収材１５の上面を流れても、ふち漏防止部１９によって尿を確実にせき止めることができる。しかも、ふち漏れ防止部１９の上には、透水性を有する表面シート１２が載せられているだけなので、ふち漏れ防止部１９上に尿をしても、その尿は表面シート１２を透過し、ふち漏れ防止部１９によって吸収される。よって、ペット用シート１０の端から尿が漏れることを、確実に防ぐことができる。
また、ふち漏れ防止部１９は吸収材１５において、表面側吸水紙１７の表面に裏面側吸水紙１６の幅方向両端部16b を折り重ねただけなので、ふち漏れ防止部１９を形成するために、余分な材料やその材料を取り付けるための余分な工数が不要であり、製造コストが安くでき、生産性を高くできる。
【００１５】
【００１６】
つぎに、本実施形態のペット用吸水シートの製造設備１について説明する。
図１は本実施形態のペット用吸水シートの製造設備１の概略斜視図である。同図に示すように、本実施形態のペット用吸水シートの製造設備１は、前記ペット用吸水シート１０を製造するための設備であり、吸収材製造装置２０とシート完成装置３０とから基本構成されており、吸収材製造装置２０に、ふち漏れ防止部１９を形成するためのふち漏防止部形成手段４０を設けたことが特徴である。
【００１７】
まず、吸収材製造装置２０を説明する。
図１に示すように、吸収材製造装置２０は、積層部２１、ふち漏防止部形成手段４０、エンボスローラ２３および切断部２５から形成されている。
【００１８】
まず積層部２１について説明する。
図１において、符号16R および17R は、それぞれ裏面側吸水紙１６および表面側吸水紙１７を巻き取った裏面側吸水紙原反ロールおよび表面側吸水紙原反ロールを示している。
符号18R は吸収体積繊器を示している。この吸収体積繊器18R は、吸収体１８を、裏面側吸水紙原反ロール16R からくり出された一続きの裏面側吸水紙１６上にフラップして載せるためのものである。
前記裏面側吸水紙原反ロール16R からくり出された一続きの裏面側吸水紙１６の下方には、メッシュベルトＭＢを有するコンベアＣが設けられており、このコンベアＣにおいて、上側のメッシュベルトＭＢの下方には、バキュームボックスＢが設けられている（図２参照）。このため、裏面側吸水紙１６に載せられた吸収体１８をバキュームボックスＢによって下方に吸引することができるので、吸収体１８が飛び散ることを防ぐことができ、吸収体１８を裏面側吸水紙１６上に確実に載せることができる。
【００１９】
符号22a は、吸収体１８が載せられた一続きの裏面側吸水紙１６上に、表面側吸水紙１７を重ねて積層シート２４を形成するローラを示している。
符号22b は、積層シート２４を下方に屈曲させて、積層シート２４をふち漏防止部形成手段４０に供給するための屈曲ローラを示している。
このため、積層部２１によれば裏面側吸水紙原反ロール16R および表面側吸水紙原反ロール17R からくり出された裏面側吸水紙１６と表面側吸水紙１７の間に吸収体１８を挟んで積層シート２４を形成し、この積層シート２４をふち漏防止部形成手段４０に送ることができる。
【００２０】
ふち漏防止部形成手段４０は、前記積層シート２４の裏面側吸水紙１６の幅方向両端部を折り曲げて、表面側吸水紙１７の表面に重ね、ふち漏れ防止部１９を形成するものであるが、詳細は後述する。
【００２１】
つぎに、エンボスローラ２３を説明する。
エンボスローラ２３は、上下一対のローラ23a,23b から構成されており、各ローラの表面には、互いに噛み合う歯が設けられている。
このため、ふち漏れ防止部１９が形成された積層シート２４を、エンボスローラ２３の上下一対のローラ23a,23b の間を通過させれば、裏面側吸水紙１６と表面側吸水紙１７とが接合されるとともに、裏面側吸水紙１６の幅方向両端部16b の折り目が確実につけられ、ふち漏れ防止部１９を固定することができる。
【００２２】
なお、上方のローラ23a の表面にのみ歯を設け、下方のローラ23b には、その表面に歯を設けていない平ローラを用いてもよい。
さらになお、エンボスローラ２３は、折り板４２と切断部２５の間に設けなくてもよく、シート完成装置３０の押し付けローラ３３と切断部３５の間に設けてもよいし、裏面側吸水紙１６と表面側吸水紙１７とを接合し、裏面側吸水紙１６の幅方向両端部16b の折り目を確実につけることができる位置であれば、どの位置に設けてもよい。
【００２３】
つぎに、切断部２５を説明する。
この切断部２５は、カッタローラ25a とアンビルローラ25b から構成されており、カッタローラ25a の表面には、吸収材１５の長さに合わせて一定の間隔毎に、切断部２５を切断するための刃が設けられている。
このため、カッタローラ25a とアンビルローラ25b を連動して回転させながら、両者の間に積層シート２４を通せば、切断部２５によって積層シート２４を一定の長さに切断することができるので、吸収材１５を製造することができる。
【００２４】
よって、吸収材製造装置２０によれば、裏面側吸水紙１６と表面側吸水紙１７との間に吸収体１８を挟んだ一続きの積層シート２４を形成し、その積層シート２４の幅方向両端部にふち漏れ防止部１９を形成した後で、この積層シート２４を一定の長さに切断して、吸収材１５を製造することができる。
【００２５】
つぎに、シート完成装置３０を説明する。
図１において、符号11R および符号12R は、それぞれ裏面シート１１および表面シート１２を巻き取った裏面シート原反ロールおよび表面シート原反ロールを示している。
この裏面シート原反ロール11R  からくり出された裏面シート１１の上面には、接着剤塗布器３１によってホットメルト等の接着剤が、一定の間隔をもって線状に塗布される。
なお、接着剤は、裏面シート１１の上面全面にドット状に塗布してもよいし、べた塗りしてもよい。
【００２６】
また、表面シート原反ロール12R からくり出された表面シート１２の下面には、接着剤塗布器３２によってホットメルト等の接着剤が、一定の間隔をもって線状に塗布される。
なお、接着剤は、表面シート１２の裏面全面又は裏面の一部にドット状に塗布してもよい。
【００２７】
符号３３は、吸収材１５を間に取り込んだ表面シート１２と裏面シート１１を挟み、両者を接着するための上下一対の押し付けローラを示している。この上下一対の押し付けローラ３３ ,３３の間に、吸収材１５を挟んだ裏面シート１１を通せば、一続きの合成シート３４を形成することができる。
前記上下一対の押し付けローラ３３ ,３３の下流側には、切断部３５が設けられている。この切断部３５は、カッタローラ35a とアンビルローラ35b とから構成されており、カッタローラ35a の表面には、ペット用吸水シート１０の長さに合わせて一定の間隔等に、裏面シート１１と表面シート１２を切断するための刃が設けられている。
また、カッタローラ35a は、その刃が、裏面シート１１と表面シート１２の間に挟まれた隣接する吸収材間における裏面シート１１と表面シート１２を切断するように、合成シート３４の送り速度と同期して、回転されている。
【００２８】
このため、切断部３５のカッタローラ35a とアンビルローラ35b を連動して回転させながら両者の間に合成シート３４を通せば、切断部３５によって合成シート３４を切断することができるので、ペット用吸水シート１０を製造することができる。
【００２９】
よって、シート完成装置３０によれば、裏面シート１１と表面シート１２の間に吸収材１５を挟んで一続きの合成シート３４を形成し、この合成シート３４を切断部３５によって切断し、ペット用吸水シート１０を製造することができる。
【００３０】
さて、本発明の特徴であるふち漏防止部形成手段４０を説明する。
図２はふち漏防止部形成手段４０の概略説明図である。図１および図２に示すように、ふち漏防止部形成手段４０は、押圧ローラ４１、折り板４２およびエンボスローラ２３から構成されている。
押圧ローラ４１は、前記吸収材１５の裏面側吸水紙１６よりも幅が狭いローラであり、その幅は表面側吸水紙１７の幅とほぼ同じ長さである。
【００３１】
図３は折り板４２の単体図であって、(A) は平面図、(B) は(A) のB-B 線断面図、(C) は(A) のC-C 線断面図、(D) は(A) のD-D 線断面図である。図２および図３に示すように、折り板４２は上面が平坦面である底板４４と、底板４４の幅方向両端部に形成された左右一対の側板４３、４３とから構成されており、前記底板４４と左右一対の側板４３、４３によって積層シート２４を通過させるためのシート通過溝42g が形成されている。
前記側板４３は、積層シート２４が導入される側（図３では左側）では、その上端部が鉛直に形成されているが、積層シート２４が排出される側（図３では右側）に向かうに従って、その上端部が内方に屈曲し、積層シート２４が排出される側の端部では、側板４３の屈曲された上端部が底板４４と平行になるように形成されている。しかも、側板４３の屈曲された上端部と底板４４との間の間隔は、前記ペット用吸水シート１０の吸収材１５のふち漏防止部１９の厚さとほぼ同じ長さとなるように形成されている。
【００３２】
このため、押圧ローラ４１を積層シート２４の表面に押し付けて、積層シート２４を、その送り方向と直交する方向に折り曲げれば、積層シート２４の裏面側吸水紙１６の幅方向両端部16b が上方に屈曲される。この状態の積層シート２４を折り板４２のシート通過溝42g に通せば、裏面側吸水紙１６の幅方向両端部16b が、側板４３にならって内方に折れ曲がり、表面側吸水紙１７の上面に折り重ねられるので、幅方向両端部16b と吸収体18b とからなるふち漏れ防止部１９を形成することができる。
【００３３】
よって、ふち漏防止部形成手段４０によれば、折り板４２の通過溝に積層シート２４を通過させるだけで、積層シート２４の裏面吸水紙１６の幅方向両端部が折り畳むことができるので、装置の構造が簡単になる。しかも、積層シート２４を連続して流しながら、積層シート２４の裏面吸水紙１６の幅方向両端部16b を折り畳むので生産効率を高くすることができる。
【００３４】
また、押圧ローラ４１によって積載シート２４を下方に押し付けて、積層シート２４を、その送り方向と直交する方向に沿って上方に屈曲させれば、積層シート２４の裏面吸水紙１６の幅方向両端部16b を上方に屈曲させることができるので、次工程の折り板４２によって積層シート２４の裏面吸水紙１６の幅方向両端部16b を折り畳む作業が、正確かつ簡単なる。
【００３５】
つぎに、本実施形態のペット用吸水シートの製造設備１の作用と効果を説明する。
図４は本実施形態のペット用吸水シートの製造設備１のフローチャートである。図１、図２、図４に示すように、まず、吸収材製造装置２０において、裏面側吸水紙原反ロール16R から一続きの裏面側吸水紙１６がくり出され、この裏面側吸水紙１６は水平に保たれて送られ、その上面には、吸収体積繊器18R によって吸収体１８が載せられる。
ついで、表面側吸水紙原反ロール17R から一続きの表面側吸水紙１７がくり出され、この表面側吸水紙１７が、ローラ22a によって吸収体１８が載せられた裏面側吸水紙１６の上に重ねられ、一続きの積層シート２４が形成される。
【００３６】
この一続きの積層シート２４は、屈曲ローラ22b によって、下方に屈曲され、ふち漏防止部形成手段４０に送られる。
ふち漏防止部形成手段４０に送られた積層シート２４は、押圧ローラ４１によって下方に押圧されるとともに、その送り方向と直行する方向に沿って上方に屈曲される。この押圧ローラ４１は、その幅が裏面側吸水紙１６よりも幅が狭く、表面側吸水紙１７の幅とほぼ同じ長さであるので、積層シート２４の裏面側吸水紙１６の幅方向両端部16b のみが上方に屈曲される。
【００３７】
裏面側吸水紙１６の幅方向両端部16b が屈曲された積層シート２４は、折り板４２のシート通過溝42g を通される。すると、積層シート２４がシート通過溝42g を通過する間に、左右一対の側板４３，４３によって裏面側吸水紙１６の幅方向両端部16b は、内方に折り曲げられ、表面側吸水紙１７上に折り重ねられて、積層シート２４の上面に、幅方向両端部16b と吸収体18b とからなるふち漏防止部１９が形成される。
【００３８】
ふち漏防止部１９が形成された積層シート２４は、エンボスローラ２３のローラ23a ,23bの間に通されて、裏面側吸水紙１６と表面側吸水紙１７が確実に接合されるとともに、裏面側吸水紙１６の幅方向両端部16b の折り目が確実につけられ、ふち漏防止部１９が固定される。
【００３９】
ふち漏防止部１９が固定された積層シート２４は、切断部２５によって、一定の長さ毎に切断されて、吸収材１５が形成される。
【００４０】
吸収材製造装置２０によって形成された吸収材１５は、シート完成装置３０に送られ、裏面シート原反ロール11R および表面シート原反ロール12R からくり出された一続きの裏面シート１１、表面シート１２の間に取り込まれる。
吸収材１５を間に取り込んだ裏面シート１１と表面シート１２は、上下一対の押し付けローラ３３、３３の間を通され、吸収材１５を間に挟んだ状態で裏面シート１１および表面シート１２が上下から押圧される。すると、裏面シート１１の上面および表面シート１２の下面には、接着剤が塗布されているので、吸収材１５を挟んだ状態で、裏面シート１１と表面シート１２が確実に接着され、一続きの合成シート３４が形成される。
【００４１】
最後に切断部３５によって合成シート３４が切断されると、裏面シート１１と表面シート１２との間に吸収材１５を挟んだペット用吸水シート１０が形成される。
【００４２】
上記のごとく、本実施形態のペット用吸水シートの製造設備１によれば、積層シート２４を連続的に送りながら一続きの裏面側吸水紙１６の幅方向両端部16b を折り曲げるだけで、ふち漏れ防止部１９を形成できるので、全工程でラインを間欠送りする工程が存在しない。したがって、ペット用吸水シート１０の生産効率を高くすることができる。
【００４３】
【発明の効果】
請求項１の発明によれば、積層シートを連続的に送りながら一続きの裏面側吸水紙の幅方向両端部を折り曲げるだけで、ふち漏れ部を形成できるので、全工程でラインを間欠送りする工程が存在しない。したがって、ペット用吸水シートの生産効率を高くすることができる。
請求項２の発明によれば、折り板のシート通過溝に積層シートを通過させるだけで、前記積層シートの裏面吸水紙の幅方向両端部が折り畳むことができるので、装置の構造が簡単になる。しかも、積層シートを連続して流しながら、前記積層シートの裏面吸水紙の幅方向両端部が折り畳まれるので、生産効率を高くすることができる。
請求項３の発明によれば、押圧ローラによって積載シートを下方に押し付けて、積層シートを、その送り方向に対して直交する方向に沿って上方に屈曲させれば、積層シートの裏面吸水紙の幅方向両端部を上方に屈曲させることができるので、次工程の折り板によって積層シートの裏面吸水紙の幅方向両端部を折り畳む作業が、正確かつ簡単なる。
請求項４の発明によれば、積層シートを連続的に送りながら一続きの裏面側吸水紙の幅方向両端部を折り曲げるだけで、ふち漏れ部を形成できるので、全工程でラインを間欠送りする工程が存在しない。したがって、ペット用吸水シートの生産効率を高くすることができる。
請求項５の発明によれば、つぎの効果を奏する。
ａ）ふち漏れ防止部は、裏面側吸水紙と吸収体の分だけ、吸収材の幅方向中央部よりも高くなっている。このため、尿が表面シートや吸収材の上面を流れても、ふち漏れ防止部によって確実に尿をせき止めることができる。
ｂ）ふち漏れ防止部の上には、透水性を有する表面シートが載せられているだけなので、ふち漏れ防止部上に尿をしても、その尿は表面シートを透過し、ふち漏れ防止部によって吸収される。よって、ペット用シートの端から尿が漏れることを、確実に防ぐことができる。
ｃ）ふち漏れ防止部は吸収材の幅方向両端部において、表面側吸水紙の表面に裏面側吸水紙の幅方向の両端部を折り重ねただけなので、折り板等に積層シートを通過させるだけで、積層シートの裏面吸水紙の幅方向両端部が折り畳むことができるので、装置の構造が簡単になる。しかも、積層シートを連続して流しながら、積層シートの裏面吸水紙の幅方向両端部を折り畳むので生産効率を高くすることができる。
【図面の簡単な説明】
【図１】本実施形態のペット用吸水シートの製造設備１の概略斜視図である。
【図２】ふち漏防止部形成手段４０の概略説明図である。
【図３】折り板４２の単体図であって、(A) は平面図、(B) は(A) のB-B 線断面図、(C) は(A) のC-C 線断面図、(D) は(A) のD-D 線断面図である。
【図４】本実施形態のペット用吸水シートの製造設備１のフローチャートである。
【図５】本実施形態のペット用吸水シート１０の概略説明図である。
【図６】従来のペット用シートの概略説明図である。
【符号の説明】
１０  ペット用吸水シート
１１  裏面シート
11R   裏面シート原反ロール
１２  表面シート
12R   表面シート原反ロール
１５  吸収材
１６  裏面側吸水紙
16R   裏面側吸水紙原反ロール
１７  表面側吸水紙
17R   表面側吸水紙原反ロール
１８  吸収体
１９  ふち漏防止部
２０  吸収材製造装置
２１  積層部
２４  積層シート
２５  切断部
３０  シート完成装置
３５  切断部
４０  ふち漏防止部形成手段
４１  押圧ローラ
４２  折り板
42g   通過溝
【図１】
0004526725.tif 000002
【図２】
0004526725.tif 000003
【図３】
0004526725.tif 000004
【図４】
0004526725.tif 000005
【図５】
0004526725.tif 000006
【図６】
0004526725.tif 000007